(57)【要約】【課題】塗料缶への取り付け・取り外しが容易であるとともに、刷毛をしごく際の安定性に優れ、確実に刷毛をしごくことができる刷毛しごき具を提供することを目的とする。【解決手段】円筒本体部と、前記円筒本体部の上端に設けられるとともに、前記円筒本体部の内側に突出する口縁部とを備える塗料缶に係止できる刷毛しごき具であって、棒状のしごきバーと、当該しごきバーに連結された支持部と、を備え、前記しごきバーはその両端が前記塗料缶の口縁部の下面に当接し、かつ、前記支持部は前記塗料缶の円筒本体部に当接し、そのことによって前記刷毛しごき具が前記塗料缶に係止される、刷毛しごき具である。【選択図】  図３
2019147275.tif 000002
【特許請求の範囲】
【請求項１】
円筒本体部と、前記円筒本体部の上端に設けられるとともに、前記円筒本体部の内側に突出する口縁部とを備える塗料缶に係止できる刷毛しごき具であって、
棒状のしごきバーと、当該しごきバーに連結された支持部と、を備え、
前記しごきバーはその両端が前記塗料缶の口縁部の下面に当接し、かつ、前記支持部は前記塗料缶の円筒本体部に当接し、そのことによって前記刷毛しごき具が前記塗料缶に係止される、刷毛しごき具。
【請求項２】
前記支持部が、前記塗料缶の円筒本体部の上端、及び、当該上端の真下の位置、の２箇所で塗料缶の側面に当接する、請求項１に記載の刷毛しごき具。
【請求項３】
前記支持部が、前記しごきバーに回動可能に連結されている、請求項１又は２に記載の刷毛しごき具。
【請求項４】
前記支持部が、略Ｓ字状の部材であり、当該略Ｓ字の始端において前記しごきバーに連結され、
前記略Ｓ字の始端と第一湾曲部との間に、湾曲の内方に突出する爪部を有し、当該爪部において前記塗料缶の円筒本体部の上端に当接し、また、
前記略Ｓ字の第二湾曲部において前記塗料缶の円筒本体部と当接する、請求項２又は３に記載の刷毛しごき具。
【請求項５】
前記しごきバーと前記支持部とが、軸と略Ｕ字溝との嵌め合いによって取り外し自在に連結されている、請求項１〜４のいずれか１項に記載の刷毛しごき具。
【請求項６】
前記しごきバーに、略Ｖ字状の溝が形成されている、請求項１〜５のいずれか１項に記載の刷毛しごき具。
【発明の詳細な説明】
【技術分野】
【０００１】
本発明は、塗装等に用いる刷毛をしごくために、塗料缶に掛けて用いる器具に関する。
【背景技術】
【０００２】
缶に入った液体塗料やペンキ等（以下、まとめて塗料という。）を使用する際、塗料缶に刷毛を差し入れて、刷毛に塗料を含ませる。この時、塗料を含んだ刷毛をそのまま持ち上げると、塗料が垂れて周囲を汚してしまうことがある。そのため、塗料缶の縁で刷毛をしごくことが行われるが、そうすると今度は缶の縁や側面に塗料が垂れてしまうことがある。この不具合を解消するために、多くの提案がされている。
【０００３】
例えば特許文献１には、刷毛に含まれる液体をしごくための支持具であって、支柱を有し缶の中に沈めて用いる形態のもの、缶の内部に嵌め込む形態のものが開示されている。特許文献１の支持具は、刷毛をしごくことができるとともに、刷毛を載置するための支持部を有し、刷毛の一時置きも可能にしている。
【０００４】
特許文献２には、缶の縁に引っかかるように両末端が折り曲げられた細棒２本を塗料缶の上に渡し、細棒２本の中央部に刷毛をしごくための調節杆が取り付けられている、塗布用調節具が開示されている。特許文献２の調節具は、２本の細棒の各両端が缶の縁に上から引っ掛けられて係止されるため、缶の内容物の多少に関わらず、調節具の取り付け／取り外しが自在である。また、保持部の角度を調節することによって、様々な大きさの缶に取り付けることができる。
【０００５】
特許文献３には、ペンキ容器の上縁部の二箇所にそれぞれ架着される架着部と、架着部の間に掛け渡された水平しごき部とから構成される、ペンキのしごき取り具を開示している。特許文献３のしごき取り具はよりシンプルな構造で、１本の折り曲げられた針金（ワイヤー）から構成され、針金の両端がペンキ容器の縁に引っ掛けられるものである。
【先行技術文献】
【特許文献】
【０００６】
【特許文献１】特開平５−３０１５００号公報
【特許文献２】実開昭５５−１６７４８０号公報
【特許文献３】実用新案登録第３１７３１０５号
【発明の概要】
【発明が解決しようとする課題】
【０００７】
しかしながら、特許文献１の支持具は、塗料缶の中に支持具の全体を入れてセットするもので、取り付け・取り外しを容易に行うことができない。一方、特許文献２、３のしごき具は、塗料缶の縁に上から引っ掛けてセットするため、取り付けや取り外しは容易であるものの、刷毛をしごく際の安定性に欠け、外れやすいこともあった。
上記の状況に鑑み、本発明は、取り付け・取り外しが容易であるとともに、刷毛をしごく際の安定性に優れ、確実に刷毛をしごくことができるしごき具を提供することを目的とする。
【課題を解決するための手段】
【０００８】
本発明者らは前記の課題を解決するために検討を重ね、刷毛をしごくためのしごき部を塗料缶の口縁部に下から当接させた状態で係止すれば、「しごき」の動作（しごき部に刷毛を当てて、下方から上方に斜めに刷毛を持ち上げる動き）に対しても、しごき部が持ち上がってしまうことがないため、刷毛をしごく際の安定性が向上することに着想した。そして、しごき部を棒状のしごきバーとして構成し、さらに、しごきバーに支持部を連結し、支持部が塗料缶の円筒本体の側面に当接して止まるようにすれば、容易に取り付け・取り外しができるとともに、刷毛しごき具が塗料缶の中に落下したり、しごく時に動いたりすることがなく、安定に保持できることを見出し、本発明を完成した。
【０００９】
すなわち、本発明は以下の構成を有する。
［１］円筒本体部と、前記円筒本体部の上端に設けられるとともに、前記円筒本体部の内側に突出する口縁部とを備える塗料缶に係止できる刷毛しごき具であって、
棒状のしごきバーと、当該しごきバーに連結された支持部と、を備え、
前記しごきバーは、その両端が前記塗料缶の口縁部の下面に当接し、かつ、前記支持部は前記塗料缶の円筒本体部に当接し、そのことによって前記刷毛しごき具が前記塗料缶に係止される、刷毛しごき具。
［２］前記支持部が、前記塗料缶の円筒本体部の上端、及び、当該上端の真下の位置、の２箇所で塗料缶の側面に当接する、［１］に記載の刷毛しごき具。
［３］前記支持部が、前記しごきバーに回動可能に連結されている、［１］又は［２］に記載の刷毛しごき具。
［４］前記支持部が、略Ｓ字状の部材であり、当該略Ｓ字の始端において前記しごきバーに連結され、
前記略Ｓ字の始端と第一湾曲部との間に、湾曲の内方に突出する爪部を有し、当該爪部において前記塗料缶の円筒本体部の上端に当接し、また、
前記略Ｓ字の第二湾曲部において前記塗料缶の円筒本体部と当接する、
［２］又は［３］に記載の刷毛しごき具。
［５］前記しごきバーと前記支持部とが、軸と略Ｕ字溝との嵌め合いによって取り外し自在に連結されている、［１］〜［４］のいずれか１項に記載の刷毛しごき具。
［６］前記しごきバーに、略Ｖ字状の溝が形成されている、［１］〜［５］のいずれか１項に記載の刷毛しごき具。
【発明の効果】
【００１０】
本発明の刷毛しごき具は、塗料缶への取り付け・取り外しが容易で、塗料缶に取り付けた時の安定性に優れるため、刷毛を確実にしごくことができ、塗料缶の縁や側面への塗料の垂れが防止される。また、本発明の刷毛しごき具によって、塗装の作業そのものを効率化できるほか、塗装作業の準備や片付けも簡単になり、塗装作業全体の利便性を向上させることができる。
【図面の簡単な説明】
【００１１】
【図１】本発明の刷毛しごき具が取り付けられる塗料缶の例の一部断面図を示す。
【図２】本発明の実施例である刷毛しごき具の例である。
【図３】本発明の実施例である刷毛しごき具の例である。
【図４】図３の刷毛しごき具を塗料缶に取り付けた状態を示す斜視図である。
【発明を実施するための形態】
【００１２】
以下、図面を参照して本発明を詳細に説明する。ただし、図面に示された例は本発明の一例に過ぎず、本発明は図面に示された例に限定されない。
【００１３】
まず、本発明の刷毛しごき具が取り付けられる塗料缶について説明する。本発明の刷毛しごき具が用いられる塗料缶は、塗料缶やペンキ缶と称される容器であり、丸缶、角缶等、外形はいずれであってもよいが、典型的には丸缶である。図１に、本発明の刷毛しごき具に適合する塗料缶の典型例を示す。図１は、塗料缶の斜視図であり、理解容易のために一部断面を示している。塗料缶Ａは、円筒本体部ａ１と、円筒本体部ａ１の上部に設けられ、円筒本体部ａ１の内方に突出する口縁部ａ２とを備える。塗料缶Ａにおいては、口縁部ａ２が円筒本体部ａ１の上端面よりも下がった位置に設けられている。なお、塗料缶の形状によっては、円筒本体部の上端面と口縁部とが同一面に設けられているものもあるが、本発明の刷毛しごき具はいずれの塗料缶にも問題なく適用できる。
【００１４】
図２は、本発明の実施例である刷毛しごき具１を示す。刷毛しごき具１は、棒状のしごきバー２、及び、しごきバー２に連結された支持部３を備えてなる。刷毛しごき具１の全体は樹脂からなる。刷毛しごき具１の材質は、樹脂、金属、木材、それらの組み合わせなど、塗料ないし溶剤に対して耐久性を有するものであれば特に制限されないが、軽量性、強度等の観点から、樹脂製であることが好ましい。樹脂製である場合、樹脂としては例えば、ポリエチレン、ポリプロピレン等のポリオレフィン樹脂、ポリスチレン樹脂、ポリアミド樹脂、ポリ（メタ）アクリル酸やポリカーボネート等のポリエステル樹脂、テフロン（登録商標）、エポキシ樹脂、メラミン樹脂、シリコン樹脂等、目的に応じて選択することができ、特に制限されるものではないが、ポロプロピレン等を好ましく用いることができる。
【００１５】
刷毛しごき具１において、しごきバー２は四角い棒状の部材である。しごきバー２の上面を平面にすることによって、塗料缶にセットした際に、塗料缶の口縁部の下面としごきバー２とが互いに面で当接することになり、安定性が向上する。なお、しごきバー２は四角い棒状以外に限られず、丸い棒状であってもよいし、断面が三角形の棒状、その他の形状であってもよく、特に制限されない。
【００１６】
しごきバー２には、刷毛しごき具１を塗料缶に係止するための支持部３が連結されている。支持部３は、しごきバー２の長手方向の中央に、長手方向に対して垂直方向に取り付けられており、支持部３の全体は外向きに膨出した弓状である。支持部３は、しごきバー２との連結部から、しごきバー２に対して斜め上方に延在し、カーブを描く形状であるため、塗料缶の縁を跨いで塗料缶の円筒本体部に届くようになっている。
【００１７】
図３は、本発明の別の実施例である刷毛しごき具１１を示す。刷毛しごき具１１は、棒状のしごきバー１２と、しごきバー１２に対して回動可能に取り付けられた支持部１３とを備える。支持部１３は、しごきバー１２の長手方向の中央に、しごきバー１２に対して垂直方向に取り付けられている。
【００１８】
しごきバー１２は四角い棒状の部材であり、図３の例では、しごきバー１２の長手方向の長さは約１６０ｍｍ、厚み約５ｍｍ、幅約１０ｍｍである。図３の例に関わらず、しごきバー１２の長手方向の長さは、例えば３０ｍｍ〜１７５ｍｍ等の任意の長さにすることができ、特に制限されない。図３に示された刷毛しごき具１１は、例えば直径５０〜１８０ｍｍの塗料缶に対して取り付けることができる。また、本発明の刷毛しごき具は、例えば、しごきバーの長手方向の長さが異なる複数種類（例えば、大・中・小の３種類）を１セットとして提供し、用いる塗料缶の大きさに応じてユーザーが刷毛しごき具を選択できるようにすることも好ましい。
【００１９】
しごきバー１２はまた、支持部１３が連結されるのと同じ辺上に、突出部１４が設けられ、突出部１４に略Ｖ字状の溝１５，１６が形成されている。溝１５，１６は、刷毛よりも小さい筆を塗装に用いる際、筆をしごくために用いることができる溝であり、溝１５，１６を設けることによって、利便性がさらに向上する。溝１５，１６はそれぞれ最大幅が４ｍｍ、２ｍｍ程度の溝であり、大きさの異なる溝を設けることによって、様々な大きさの筆に対応することができる。なお、図３の例では、しごきバー１２に突出部１４を設け、突出部１４に溝１５，１６を設ける形態であるが、突出部を設けず、しごきバーの棒状部の一部を切り欠いて溝とする形態であってもよく、また、溝の数も１〜８箇所程度とすることができ、特に制限されるものではない。
【００２０】
しごきバー１２の長手方向の中央部に、支持部１３を連結するための連結軸１７が備えられている。連結軸１７と、支持部１３の先端に設けられた略Ｕ字状の溝１８とが嵌め合いになっており、これによって、しごきバー１２と支持部１３とは互いに回動可能、かつ、取り外し自在である。しごきバー１２及び支持部１３を樹脂製にすることで、樹脂の弾性を利用した嵌め合いが可能となる。
【００２１】
支持部１３は略Ｓ字状の部材である。略Ｓ字状とは、限定的に解釈されるものではないが、大略的には、湾曲部が２箇所あり、それら２つの湾曲部の間を曲線ないし直線の中間部が連結している形状を意味している。図３の例において、支持部１３は、略Ｓ字の始端においてしごきバー１２と連結され、第一湾曲部１９及び第二湾曲部２０を有する。支持部１３は、始端と第一湾曲部１９との間に、湾曲の内方に突出する爪部２１を備える。爪部２１を備えることによって、刷毛しごき具を塗料缶の縁に確実に係止することが可能となる。すなわち、刷毛しごき具を塗料缶にセットする場合には、まず、しごきバー１２の両端を塗料缶の口縁部の下面に当接させ、次いで、支持部１３を塗料缶の円筒本体に掛けるようにすると、爪部２１が円筒本体の上端に位置することとなり、これによって、刷毛しごき具が前方に滑ることなく定位置にセットされる。
【００２２】
また、支持部１３は、塗料缶にセットした時、第二湾曲部２０において塗料缶の円筒本体に当接する。すなわち、支持部１３は、爪部２１が円筒本体の上縁に当接し、かつ、第二湾曲部２０は爪部２１の当接位置の真下の位置で円筒本体に当接する。２箇所で当接させることによって、塗料缶にセットした際の安定性がより良くなる。
【００２３】
支持部１３の終端は、第二湾曲部２０から延在する半円弧状とされている。支持部１３の終端を半円弧状にすることによって、取り付け・取り外しを片手で容易に行うことができ、刷毛しごき具１１の取り扱い性がより向上する。また、刷毛しごき具を使用した後には、必要に応じて刷毛しごき具の全体を溶剤等で洗浄し、支持部１３を上にして吊り下げて乾燥させることができ、取り扱い性に優れる。
【００２４】
図４に、刷毛しごき具１１を塗料缶に取り付けた状態の模式図を示す。刷毛しごき具１１のしごきバー１２は、その両端が塗料缶の口縁部ａ２の下に入れられており、塗料缶の口縁部ａ２の下面としごきバー１２が当接している。また、支持部１３は塗料缶の口縁部を跨ぐようにセットされ、支持部１３の爪部２１が塗料缶の円筒本体部ａ１の上縁に当接している。さらに、支持部１３の第二湾曲部２０が塗料缶の円筒本体部に当接している。つまり、刷毛しごき具１１は、塗料缶に対して、しごきバー１２の両端（２箇所）、及び、支持部１３で上下方向に２箇所が当接することになり、従来の同種の器具と比較して、安定性が格段に向上している。
【００２５】
刷毛しごき具１１は、しごきバー１２と支持部１３とが取り外し自在であるため、使用する時以外は、取り外してコンパクトに収納ないし運搬することができる。
【００２６】
本発明の刷毛しごき具の製造は、刷毛しごき具が樹脂製である場合、射出成型等を用いて製造することが好ましい。成形の工程は、公知の方法・条件から適宜選択することができ、特に制限されるものではないが、例えば、ポリプロピレン樹脂を材料として、射出成型によって成型することで、好適に製造することができる。
【符号の説明】
【００２７】
１，１１  刷毛しごき具
２，１２  しごきバー
３，１３  支持部
１４  突出部
１５，１６  溝
１７  連結軸
１８  略Ｕ字状溝
１９  第一湾曲部
２０  第二湾曲部
２１  爪部
Ａ  塗料缶
ａ１  塗料缶の円筒本体部
ａ２  塗料缶の口縁部
【図１】
2019147275.tif 000003
【図２】
2019147275.tif 000004
【図３】
2019147275.tif 000005
【図４】
2019147275.tif 000006